【手続補正書】
【提出日】平成30年1月24日(2018.1.24)
【手続補正１】
【補正対象書類名】明細書
【補正対象項目名】００５４
【補正方法】変更
【補正の内容】
【００５４】
本明細書の開示内容には、本明細書で説明した個々の特徴単独のほかにも、２つ以上のそのような特徴を組み合わせてなるあらゆる組合せが、これら特徴単独または組合せが本明細書に開示されている何らかの課題を解決するか否かにかかわらず、かつ、添付の特許請求の範囲を限定することなく、本明細書全体としての内容に当業者の一般常識を組み合わせたものに基づいて実行可能である限り包含される。本発明の態様は、あらゆるそのような特徴単独または組合せによって構成されてもよい。これまでの説明を踏まえたうえで本発明の範囲内で様々な変更が可能であることは、当業者であれば分かるであろう。
なお、本発明は、実施の態様として以下の内容を含む。
〔態様１〕
乗り物にデータ通信を提供する通信システムであって、
前記乗り物に位置するモバイルトランスポート層プロキシと、
前記乗り物の遠隔に位置する親トランスポート層プロキシと、
を備え、
前記モバイルトランスポート層プロキシが、
ホストデバイスとのトランスポート層コネクションであって、遠隔サーバへとアドレス指定されたトランスポート層コネクションを受け付けるように、かつ、
モバイルトランスポート層プロキシであることを明らかにしながら前記ホストデバイスの代理で通信するために、マルチパストランスポート層プロトコルを用いて複数の経路を介して前記親トランスポート層プロキシと通信するように構成されており、
前記親トランスポート層プロキシが、
前記マルチパストランスポート層プロトコルを用いて前記モバイルトランスポート層プロキシと通信するように、かつ、
前記モバイルトランスポート層プロキシの代理で通信するために、親トランスポート層プロキシであることを明らかにしながら前記遠隔サーバと通信するように構成されていることにより、前記ホストデバイスが前記遠隔サーバと通信することを可能にする、通信システム。
〔態様２〕
態様１に記載の通信システムにおいて、前記親トランスポート層プロキシが、前記モバイルトランスポート層プロキシとのコネクションであって、前記遠隔サーバへとアドレス指定されたコネクションを受け付けるように構成されている、通信システム。
〔態様３〕
態様１または２に記載の通信システムにおいて、前記親トランスポート層プロキシが、前記マルチパストランスポート層プロトコルを用いて複数の経路を介して前記モバイルトランスポート層プロキシと通信するように構成されている、通信システム。
〔態様４〕
態様１から３のいずれか一態様に記載の通信システムにおいて、前記モバイルトランスポート層プロキシが、前記ホストデバイスから開始された、前記遠隔サーバへとアドレス指定されたトランスポート層セッションをインターセプトすることにより、前記ホストデバイスとの前記トランスポート層コネクションを受け付けるように構成されている、通信システム。
〔態様５〕
態様４に記載の通信システムにおいて、前記モバイルトランスポート層プロキシが、前記遠隔サーバとしてマスカレードして、乗り物内の前記デバイスから開始された前記トランスポート層セッションを当該モバイルトランスポート層プロキシで終端させることにより、前記ホストデバイスとの前記トランスポート層コネクションを受け付けるように構成されている、通信システム。
〔態様６〕
態様１から５のいずれか一態様に記載の通信システムにおいて、前記親トランスポート層プロキシが、前記モバイルトランスポート層プロキシから開始されたトランスポート層セッションであって、前記遠隔サーバへとアドレス指定されたトランスポート層セッションをインターセプトするように構成されている、通信システム。
〔態様７〕
態様６に記載の通信システムにおいて、前記親トランスポート層プロキシが、前記遠隔サーバとしてマスカレードして、前記モバイルトランスポート層セッションから開始された前記トランスポート層セッションを当該親トランスポート層プロキシで終端させるように構成されている、通信システム。
〔態様８〕
態様１から７のいずれか一態様に記載の通信システムにおいて、前記モバイルトランスポート層プロキシが、複数の無線送受信手段に接続されており、各無線送受信手段が、前記乗り物の遠隔に位置する設備との間の対応するワイヤレスデータ接続を、その他の無線送受信手段と独立して確立するように構成されており、前記ワイヤレスデータ接続のそれぞれ一つが、前記複数の経路の一つである、通信システム。
〔態様９〕
態様８に記載の通信システムにおいて、前記複数の無線送受信手段が、前記乗り物に位置する、通信システム。
〔態様１０〕
態様８または９に記載の通信システムにおいて、各無線送受信手段が、前記乗り物の遠隔に位置する別々の基地局と前記対応するワイヤレスデータ接続を確立する、通信システム。
〔態様１１〕
態様８から１０のいずれか一態様に記載の通信システムにおいて、前記基地局が、前記乗り物が取る経路に最も近い、沿路の複数の基地局のうちの一つである、通信システム。
〔態様１２〕
態様１１に記載の通信システムにおいて、前記乗り物が列車であり、前記乗り物が取る前記経路が線路である、通信システム。
〔態様１３〕
態様１０から１２のいずれか一態様に記載の通信システムにおいて、前記基地局がワイヤレス基地局である、通信システム。
〔態様１４〕
態様１０から１３のいずれか一態様に記載の通信システムにおいて、前記基地局がセルラ基地局である、通信システム。
〔態様１５〕
態様８に従属する態様９から１４のいずれか一態様に記載の通信システムにおいて、さらに、
前記乗り物に位置するモバイルルータであって、前記複数の無線送受信手段を含むモバイルルータ、
を備える、通信システム。
〔態様１６〕
態様１５に記載の通信システムにおいて、前記モバイルトランスポート層プロキシが、前記モバイルルータの一部を形成しており、当該モバイルルータが、前記マルチパストランスポート層プロトコルを用いて複数の経路を介して前記親トランスポート層プロキシと通信する、通信システム。
〔態様１７〕
態様１から１６のいずれか一態様に記載の通信システムにおいて、前記マルチパストランスポート層プロトコルの少なくとも１つの別個のサブコネクションが、前記複数の経路のそれぞれにおいて確立される、通信システム。
〔態様１８〕
態様１７に記載の通信システムにおいて、前記マルチパストランスポート層プロトコルの１つの別個のサブコネクションが、前記複数の経路のそれぞれにおいて確立される、通信システム。
〔態様１９〕
態様１７および１８に記載の通信システムにおいて、前記モバイルトランスポート層プロキシが、前記親トランスポート層プロキシに伝送されるデータストリームを、経路の数以上の数のサブストリームに分割するように、かつ、複製されたサブストリーム又は異なるサブストリームを前記サブコネクションのそれぞれにおいて送信するように構成されている、通信システム。
〔態様２０〕
態様１７から１９に記載の通信システムにおいて、前記モバイルトランスポート層プロキシが、前記親トランスポート層プロキシに伝送されるデータストリームを、経路の数と同じ数のサブストリームに分割するように、かつ、異なるサブストリームを前記サブコネクションのそれぞれにおいて送信するように構成されている、通信システム。
〔態様２１〕
態様１９および２０に記載の通信システムにおいて、前記サブストリームが、データパケットで構成されており、前記モバイルトランスポート層プロキシが、各データパケットに、前記データストリームでの当該データパケットの位置を示すデータストリーム識別子を組み込むように構成されている、通信システム。
〔態様２２〕
態様１から２１のいずれか一態様に記載の通信システムにおいて、前記マルチパストランスポート層プロトコルが、マルチパス伝送制御プロトコル（ＭＰＴＣＰ）である、通信システム。
〔態様２３〕
態様１７に従属する態様２２に記載の通信システムにおいて、前記別個のサブコネクションが、前記ＭＰＴＣＰの別個のサブフローである、通信システム。
〔態様２４〕
態様２１に従属する態様２３に記載の通信システムにおいて、前記データストリーム識別子が、データシーケンス番号である、通信システム。
〔態様２５〕
態様１から２４のいずれか一態様に記載の通信システムにおいて、前記親トランスポート層プロキシが、前記乗り物と共に移動しないものである、通信システム。
〔態様２６〕
態様１から２５のいずれか一態様に記載の通信システムにおいて、前記モバイルトランスポート層プロキシの位置が、前記乗り物に対して定まっている、通信システム。
〔態様２７〕
態様１から２６のいずれか一態様に記載の通信システムにおいて、前記モバイルトランスポート層プロキシが、ワイヤレス接続を介して前記ホストデバイスに接続する、通信システム。
〔態様２８〕
本願の明細書において添付の図面を参照しながら説明されているものと実質的に同一の通信システム。
【手続補正２】
【補正対象書類名】特許請求の範囲
【補正対象項目名】全文
【補正方法】変更
【補正の内容】
【特許請求の範囲】
【請求項１】
乗り物にデータ通信を提供する通信システムであって、
前記乗り物に位置するモバイルトランスポート層プロキシと、
前記乗り物の遠隔に位置する親トランスポート層プロキシと、
を備え、
前記モバイルトランスポート層プロキシが、
ホストデバイスとのトランスポート層コネクションであって、遠隔サーバへとアドレス指定されたトランスポート層コネクションを受け付けるように、かつ、
モバイルトランスポート層プロキシであることを明らかにしながら前記ホストデバイスの代理で通信するために、マルチパストランスポート層プロトコルを用いて複数の経路を介して前記親トランスポート層プロキシと通信するように構成されており、
前記親トランスポート層プロキシが、
前記マルチパストランスポート層プロトコルを用いて前記モバイルトランスポート層プロキシと通信するように、かつ、
前記モバイルトランスポート層プロキシの代理で通信するために、親トランスポート層プロキシであることを明らかにしながら前記遠隔サーバと通信するように構成されていることにより、前記ホストデバイスが前記遠隔サーバと通信することを可能にする、通信システム。
【請求項２】
請求項１に記載の通信システムにおいて、前記親トランスポート層プロキシが、前記モバイルトランスポート層プロキシとのコネクションであって、前記遠隔サーバへとアドレス指定されたコネクションを受け付けるように構成されている、通信システム。
【請求項３】
請求項１または２に記載の通信システムにおいて、前記親トランスポート層プロキシが、前記マルチパストランスポート層プロトコルを用いて複数の経路を介して前記モバイルトランスポート層プロキシと通信するように構成されている、通信システム。
【請求項４】
請求項１から３のいずれか一項に記載の通信システムにおいて、前記モバイルトランスポート層プロキシが、前記ホストデバイスから開始された、前記遠隔サーバへとアドレス指定されたトランスポート層セッションをインターセプトすることにより、前記ホストデバイスとの前記トランスポート層コネクションを受け付けるように構成されている、通信システム。
【請求項５】
請求項４に記載の通信システムにおいて、前記モバイルトランスポート層プロキシが、前記遠隔サーバとしてマスカレードして、前記ホストデバイスから開始された前記トランスポート層セッションを当該モバイルトランスポート層プロキシで終端させることにより、前記ホストデバイスとの前記トランスポート層コネクションを受け付けるように構成されている、通信システム。
【請求項６】
請求項１から５のいずれか一項に記載の通信システムにおいて、前記親トランスポート層プロキシが、前記モバイルトランスポート層プロキシから開始されたトランスポート層セッションであって、前記遠隔サーバへとアドレス指定されたトランスポート層セッションをインターセプトするように構成されている、通信システム。
【請求項７】
請求項６に記載の通信システムにおいて、前記親トランスポート層プロキシが、前記遠隔サーバとしてマスカレードして、前記モバイルトランスポート層プロキシから開始された前記トランスポート層セッションを当該親トランスポート層プロキシで終端させるように構成されている、通信システム。
【請求項８】
請求項１から７のいずれか一項に記載の通信システムにおいて、前記モバイルトランスポート層プロキシが、複数の無線送受信手段に接続されており、各無線送受信手段が、前記乗り物の遠隔に位置する設備との間の対応するワイヤレスデータ接続を、その他の無線送受信手段と独立して確立するように構成されており、前記ワイヤレスデータ接続のそれぞれ一つが、前記複数の経路の一つである、通信システム。
【請求項９】
請求項８に記載の通信システムにおいて、前記複数の無線送受信手段が、前記乗り物に位置する、通信システム。
【請求項１０】
請求項８または９に記載の通信システムにおいて、各無線送受信手段が、前記乗り物の遠隔に位置する別々の基地局と前記対応するワイヤレスデータ接続を確立する、通信システム。
【請求項１１】
請求項１０に記載の通信システムにおいて、前記基地局が、前記乗り物が取る経路に最も近い、沿路の複数の基地局のうちの一つである、通信システム。
【請求項１２】
請求項１１に記載の通信システムにおいて、前記乗り物が列車であり、前記乗り物が取る前記経路が線路である、通信システム。
【請求項１３】
請求項１０から１２のいずれか一項に記載の通信システムにおいて、前記基地局がワイヤレス基地局である、通信システム。
【請求項１４】
請求項１０から１３のいずれか一項に記載の通信システムにおいて、前記基地局がセルラ基地局である、通信システム。
【請求項１５】
請求項８に従属する請求項９から１４のいずれか一項に記載の通信システムにおいて、さらに、
前記乗り物に位置するモバイルルータであって、前記複数の無線送受信手段を含むモバイルルータ、
を備える、通信システム。
【請求項１６】
請求項１５に記載の通信システムにおいて、前記モバイルトランスポート層プロキシが、前記モバイルルータの一部を形成しており、当該モバイルルータが、前記マルチパストランスポート層プロトコルを用いて複数の経路を介して前記親トランスポート層プロキシと通信する、通信システム。
【請求項１７】
請求項１から１６のいずれか一項に記載の通信システムにおいて、前記マルチパストランスポート層プロトコルの少なくとも１つの別個のサブコネクションが、前記複数の経路のそれぞれにおいて確立される、通信システム。
【請求項１８】
請求項１７に記載の通信システムにおいて、前記マルチパストランスポート層プロトコルの１つの別個のサブコネクションが、前記複数の経路のそれぞれにおいて確立される、通信システム。
【請求項１９】
請求項１７または１８に記載の通信システムにおいて、前記モバイルトランスポート層プロキシが、前記親トランスポート層プロキシに伝送されるデータストリームを、経路の数以上の数のサブストリームに分割するように、かつ、複製されたサブストリーム又は異なるサブストリームを前記サブコネクションのそれぞれにおいて送信するように構成されている、通信システム。
【請求項２０】
請求項１７から１９のいずれか一項に記載の通信システムにおいて、前記モバイルトランスポート層プロキシが、前記親トランスポート層プロキシに伝送されるデータストリームを、経路の数と同じ数のサブストリームに分割するように、かつ、異なるサブストリームを前記サブコネクションのそれぞれにおいて送信するように構成されている、通信システム。
【請求項２１】
請求項１９または２０に記載の通信システムにおいて、前記サブストリームが、データパケットで構成されており、前記モバイルトランスポート層プロキシが、各データパケットに、前記データストリームでの当該データパケットの位置を示すデータストリーム識別子を組み込むように構成されている、通信システム。
【請求項２２】
請求項１から２１のいずれか一項に記載の通信システムにおいて、前記マルチパストランスポート層プロトコルが、マルチパス伝送制御プロトコル（ＭＰＴＣＰ）である、通信システム。
【請求項２３】
請求項１７に従属する請求項２２に記載の通信システムにおいて、前記別個のサブコネクションが、前記ＭＰＴＣＰの別個のサブフローである、通信システム。
【請求項２４】
請求項２１に従属する請求項２３に記載の通信システムにおいて、前記データストリーム識別子が、データシーケンス番号である、通信システム。
【請求項２５】
請求項１から２４のいずれか一項に記載の通信システムにおいて、前記親トランスポート層プロキシが、前記乗り物と共に移動しないものである、通信システム。
【請求項２６】
請求項１から２５のいずれか一項に記載の通信システムにおいて、前記モバイルトランスポート層プロキシの位置が、前記乗り物に対して定まっている、通信システム。
【請求項２７】
請求項１から２６のいずれか一項に記載の通信システムにおいて、前記モバイルトランスポート層プロキシが、ワイヤレス接続を介して前記ホストデバイスに接続する、通信システム。